(57)【要約】ユーザジェスチャを検出するための近接ベースのシステムおよび方法。複数の近接感知回路はそれぞれ、デジタルデータを収集し得る。各近接感知回路は、電磁信号を送信および受信するように構成されたアンテナと、アンテナによって１つ以上の方向に送信される信号を遮蔽するように構成された遮蔽ドライバとを含み得る。デジタルデータは、アンテナを介して別の近接感知回路から受信された電磁信号に基づいて、収集され得る。受信された電磁信号は、１つ以上のユーザ近接ジェスチャによって変更され得る。複数の近接感知回路のそれぞれからのデジタルデータは、調整回路によって受信され得る。調整回路は、複数の近接感知回路のそれぞれから受信されたデジタルデータから調整されたデジタルデータを生成し得る。調整されたデジタルデータは、ユーザが１つ以上のユーザ近接ジェスチャを行なったことを決定する際に使用するために構成され得る。
2015503783.tif 000002
【特許請求の範囲】
【請求項１】
近接感知システムであって、前記システムは、
複数の近接感知回路であって、各近接感知回路は、
電磁信号を送信および受信するように構成されたアンテナと、
前記アンテナによって１つ以上の方向に送信される信号を遮蔽するように構成された遮蔽ドライバと、
前記アンテナを介して別の近接感知回路から受信された電磁信号に基づくデジタルデータを収集するように構成された論理であって、前記受信された電磁信号は、１つ以上のユーザ近接ジェスチャによって変更される、論理と
を備える、複数の近接感知回路と、
調整回路であって、前記調整回路は、前記複数の近接感知回路のそれぞれに結合され、前記調整回路は、論理を備え、前記論理は、
前記複数の近接感知回路のそれぞれからデジタルデータを受信し、
前記複数の近接感知回路のそれぞれから受信されたデジタルデータから調整されたデジタルデータを生成する
ように構成され、前記調整されたデジタルデータは、前記複数の近接感知回路のそれぞれからのデジタルデータを含み、前記調整されたデジタルデータは、ユーザが前記１つ以上のユーザ近接ジェスチャを行なったことを決定する際に使用するために構成されている、調整回路と
を備える、近接感知システム。
【請求項２】
前記論理によって収集されたデジタルデータは、別の近接感知回路から受信された電磁信号の信号強度のデジタル表現を含み、前記電磁信号の信号強度は、前記１つ以上のユーザ近接ジェスチャによって変更される、請求項１に記載の近接感知システム。
【請求項３】
前記遮蔽ドライバは、前記アンテナによって前記１つ以上の方向に送信される信号を遮蔽するために、前記アンテナによって送信される信号と同位相で駆動されるように構成されている、請求項１に記載の近接感知システム。
【請求項４】
前記複数の近接感知回路は、
第１の時間において、第１の近接感知回路が、第１の電磁信号を送信するように構成されている一方、第２の近接感知回路が、前記第１の電磁信号を受信するように構成され、
第２の時間において、前記第２の近接感知回路が、第２の電磁信号を送信するように構成されている一方、前記第１の近接感知回路が、前記第２の電磁信号を受信するように構成されている
ような調整された様式において、電磁信号を送信および受信するように構成されている、請求項１に記載の近接感知システム。
【請求項５】
前記調整回路の論理は、スケジュールに従って、前記複数の近接感知回路のそれぞれからデジタルデータを受信するように構成され、前記調整回路の論理は、１度に１つの近接感知回路からデジタルデータを受信するように構成されている、請求項１に記載の近接感知システム。
【請求項６】
前記調整回路および前記複数の近接感知回路のそれぞれは、一方向性データ結合によって結合されている、請求項１に記載の近接感知システム。
【請求項７】
前記近接感知システムは、少なくとも３つの近接感知回路を備え、前記１つ以上のユーザ近接ジェスチャは、少なくとも２次元における少なくとも１つの近接ジェスチャを含む、請求項１に記載の近接感知システム。
【請求項８】
前記近接感知システムは、少なくとも３つの近接感知回路を備え、前記１つ以上のユーザ近接ジェスチャは、３次元における少なくとも１つの近接ジェスチャを含む、請求項１に記載の近接感知システム。
【請求項９】
前記システムは、解釈回路をさらに備え、前記解釈回路は、論理を備え、前記論理は、
前記調整されたデジタルデータを受信することと、
前記調整されたデジタルデータを解釈することであって、前記解釈ことは、ユーザが前記１つ以上のユーザ近接ジェスチャを行なったことを決定する、ことと
を行うように構成されている、請求項１に記載の近接感知システム。
【請求項１０】
前記システムは、単一のフレキシブル基板をさらに備え、前記複数の近接感知回路および前記調整回路は、前記単一のフレキシブル基板上に構成されている、請求項１に記載の近接感知システム。
【請求項１１】
近接感知データを収集する方法であって、前記方法は、
複数の近接感知回路のそれぞれによって、デジタルデータを収集することであって、各近接感知回路は、電磁信号を送信および受信するように構成されたアンテナと、前記アンテナによって１つ以上の方向に送信される信号を遮蔽するように構成された遮蔽ドライバとを備え、前記デジタルデータは、前記アンテナを介して別の近接感知回路から受信された電磁信号に基づいて、収集され、前記受信された電磁信号は、１つ以上のユーザ近接ジェスチャによって変更される、ことと、
調整回路によって、前記複数の近接感知回路のそれぞれからデジタルデータを受信することと、
前記調整回路によって、前記複数の近接感知回路のそれぞれから受信されたデジタルデータから調整されたデジタルデータを生成することであって、前記調整されたデジタルデータは、前記複数の近接感知回路のそれぞれからのデジタルデータを含み、前記調整されたデジタルデータは、ユーザが前記１つ以上のユーザ近接ジェスチャを行なったことを決定する際に使用するために構成されている、ことと
を含む、方法。
【請求項１２】
前記複数の近接感知回路のそれぞれによって収集されたデジタルデータは、別の近接感知回路から受信された電磁信号の信号強度のデジタル表現を含み、前記電磁信号の信号強度は、前記１つ以上のユーザ近接ジェスチャによって変更される、請求項１１に記載の方法。
【請求項１３】
前記遮蔽ドライバは、前記アンテナによって前記１つ以上の方向に送信される信号を遮蔽するために、前記アンテナによって送信される信号と同位相で駆動されるように構成されている、請求項１１に記載の方法。
【請求項１４】
第１の時間において、
第１の近接感知回路が第１の電磁信号を送信することと、
第２の近接感知回路が前記第１の電磁信号を受信することと、
第２の時間において、
前記第２の近接感知回路が第２の電磁信号を送信することと、
前記第１の近接感知回路が前記第２の電磁信号を受信することと
をさらに含む、請求項１１に記載の方法。
【請求項１５】
前記調整回路は、スケジュールに従って、前記複数の近接感知回路のそれぞれからデジタルデータを受信し、前記調整回路は、１度に１つの近接感知回路からデジタルデータを受信する、請求項１１に記載の方法。
【請求項１６】
前記調整回路および前記複数の近接感知回路のそれぞれは、一方向性データ結合によって結合されている、請求項１１に記載の方法。
【請求項１７】
前記複数の近接感知回路は、少なくとも３つの近接感知回路を備え、前記１つ以上のユーザ近接ジェスチャは、少なくとも２次元における少なくとも１つの近接ジェスチャを含む、請求項１１に記載の方法。
【請求項１８】
前記複数の近接感知回路は、少なくとも３つの近接感知回路を備え、前記１つ以上のユーザ近接ジェスチャは、３次元における少なくとも１つの近接ジェスチャを含む、請求項１１に記載の方法。
【請求項１９】
解釈回路によって、前記調整されたデジタルデータを受信することと、
前記解釈回路によって、前記調整されたデジタルデータを解釈することであって、前記解釈することは、ユーザが前記１つ以上のユーザ近接ジェスチャを行なったことを決定する、ことと
をさらに含む、請求項１１に記載の方法。
【請求項２０】
近接感知システムであって、前記システムは、
複数の近接感知回路であって、各近接感知回路は、
電磁信号を送信および受信するように構成されたアンテナと、
前記アンテナによって１つ以上の方向に送信される信号を遮蔽するように構成された遮蔽ドライバと、
前記アンテナを介して別の近接感知回路から受信された電磁信号に基づいたデジタルデータを収集するように構成された論理であって、前記受信された電磁信号は、１つ以上のユーザ近接ジェスチャによって変更される、論理と
を備える、近接感知回路と、
前記複数の近接感知回路のそれぞれに結合された調整回路であって、前記調整回路は、前記複数の近接感知回路のそれぞれからデジタルデータを受信し、ユーザが前記１つ以上のユーザ近接ジェスチャを行なったことを決定する際に使用するための情報を提供するように構成されている、調整回路と
を備える、システム。
【発明の詳細な説明】
【技術分野】
【０００１】
（発明の分野）
本発明は、電子デバイスの分野に関し、より具体的には、近接感知を使用して、ジェスチャを検出および解釈するためのアーキテクチャに関する。
【背景技術】
【０００２】
（関連技術の説明）
ジェスチャ動作とは、消費者製品またはコンピューティングデバイスと相互作用するように意図されたユーザの物理的動作に対する一般的用語である。容量性タッチ感知を使用したジェスチャ動作のよく知られた例は、スマートフォンおよびタブレットコンピュータ等の製品のタッチスクリーン上のイメージを操作するための「はさむ」動作または回転動作である。
【０００３】
しかしながら、ジェスチャベースのユーザ入力が望ましい多くの状況では、タッチジェスチャは、安全でも現実的でもない場合がある。運転しながら、ボタンの位置を特定して押下し、ＧＰＳ表示をパンまたはズームすることは、例えば、運転者の注意を引き過ぎ、安全でなくなり得る。故に、本分野における改良が、望ましい。
【発明の概要】
【課題を解決するための手段】
【０００４】
（発明の概要）
一実施形態は、タッチベースのジェスチャが、安全でも現実的でもない場合の状況において、ジェスチャ動作を可能にする、ユーザ近接ジェスチャを検出および解釈するための近接感知システムに関する。近接ジェスチャは、ユーザ（または、ユーザ制御された器具）が、感知要素に物理的にタッチすることを必要としない、ユーザ（または、スタイラス等のユーザ制御された器具）の近接に基づいて感知または検出されるジェスチャである。本開示の実施形態は、近接感知ベースのジェスチャ検出および解釈のためのそのような方法と、本方法を実装するように構成されたシステムとに関する。
【０００５】
本システムは、複数の近接感知回路と、調整回路と、いくつかの実施形態では、解釈回路とを含んでもよい。近接感知回路はそれぞれ、電磁信号を送信および受信するように構成されたアンテナと、アンテナによって１つ以上の方向に送信される信号を遮蔽するように構成された遮蔽ドライバとを含んでもよい。近接感知回路のそれぞれ、調整回路、および解釈回路はまた、本方法の側面を実装するように構成された論理を含んでもよい。
【０００６】
調整回路は、近接感知回路のそれぞれに結合されてもよい。一組の実施形態によると、調整回路および複数の近接感知回路のそれぞれは、一方向性データ結合を介して結合されてもよい。調整回路はまた、解釈回路に結合されてもよい。いくつかの実施形態では、本システムはさらに、単一のフレキシブル基板を含んでもよく、その上に、複数の近接感知回路および調整回路が、位置してもよい。この場合、異なる構成要素が、同様に単一のフレキシブル基板上に位置する接続（例えば、通信バス）を介して恒久的に結合されてもよい。他の実施形態では、近接感知回路および調整回路は、単一の基板上に位置しなくてもよく、かつ／または別個の構成要素が、分離可能コネクタを介して結合されるように構成されてもよい。本方法は、以下のように行なわれてもよい。
【０００７】
複数の近接感知回路のそれぞれは、デジタルデータを収集してもよい。デジタルデータは、アンテナを介して別の近接感知回路から受信された電磁信号に基づいて、収集されてもよい。いくつかの実施形態では、複数の近接感知回路は、調整された様式において、電磁信号を送信および受信するように構成されてもよい。例えば、一組の実施形態では、第１の時間において、第１の近接感知回路は、第１の電磁信号を送信してもよい一方、第２の近接感知回路は、第１の電磁信号を受信する。次いで、第２の時間において、第２の近接感知回路は、第２の電磁信号を送信してもよい一方、第１の近接感知回路は、第２の電磁信号を受信する。
【０００８】
前述のように、各近接感知回路は、遮蔽ドライバを含んでもよい。近接感知回路の遮蔽ドライバは、近接感知回路のアンテナによって１つ以上の方向において送信される信号を遮蔽するように構成されてもよい。これは、アンテナによって１つ以上の方向に送信される信号を遮蔽するために、アンテナによって送信される信号と同位相で遮蔽ドライバを駆動させることを含んでもよい。
【０００９】
受信された電磁信号は、１つ以上のユーザ近接ジェスチャによって変更されてもよい。いくつかの実施形態では、複数の近接感知回路のそれぞれによって収集されたデジタルデータは、別の近接感知回路から受信された電磁信号の信号強度のデジタル表現であってもよい。この場合、電磁信号の信号強度は、１つ以上のユーザ近接ジェスチャによって変更されてもよい。
【００１０】
複数の近接感知回路のそれぞれからのデジタルデータは、調整回路によって受信されてもよい。調整回路は、スケジュールに従って、複数の近接感知回路のそれぞれからデジタルデータを受信してもよい。いくつかの実施形態では、調整回路は、１度に１つの近接感知回路から、デジタルデータを受信してもよい。
【００１１】
いくつかの実施形態では、複数の近接感知要素の調整は、調整回路によって提供されてもよい。例えば、調整回路は、任意の所与の時間において、どの近接感知回路（単数または複数）が、データを送信し、どの近接感知回路（単数または複数）が、データを収集するかを制御してもよく、かつ／または、調整回路が、任意の所与の時間において、どの近接感知回路からデジタルデータを受信するかを制御してもよい。したがって、いくつかの実施形態では、調整回路は、センサおよびセンサから受信されたデータの時分割多重化を効果的に行ない得る。
【００１２】
調整回路は、複数の近接感知回路のそれぞれから受信されたデジタルデータから調整された（例えば、時分割多重化された）デジタルデータを生成し得る。言い換えると、調整されたデジタルデータは、複数の近接感知回路のそれぞれからのデジタルデータを含んでもよい。
【００１３】
調整されたデジタルデータは、ユーザが１つ以上のユーザ近接ジェスチャを行なったことを決定する際に使用するために構成されてもよい。いくつかの実施形態では、調整されたデジタルデータは、調整されたデジタルデータを解釈し得る解釈回路によって受信されてもよい。調整されたデジタルデータの解釈は、ユーザが１つ以上のユーザ近接ジェスチャを行なったことを決定することを含んでもよい。
【００１４】
いくつかの実施形態では、複数の近接感知回路は、２つの近接感知回路を含んでもよい。２つの近接感知回路は、１次元（例えば、２つの近接感知回路間の線によって画定される軸に沿った次元）におけるジェスチャの検出および解釈のために構成されたデジタルデータを生成するように構成されてもよい。他の実施形態では、複数の近接感知回路は、３つ、４つ、または別の数の近接感知回路を含んでもよい。そのような実施形態では、複数の近接感知回路は、２次元または３次元におけるジェスチャの検出および解釈のために構成されたデジタルデータを生成するように構成されてもよい。
【００１５】
低コスト高容量消費者電子機器デバイスにおける近接感知は、特定の一組の課題を提示する。そのようなデバイスは、信号伝達、ルーティング、遮蔽、フィルタリング、および他の設計選択の効果を損なわせる、ノイズを伴う環境を提示する傾向にある。一組の実施形態によると、それぞれが遮蔽ドライバを含み、デジタルデータをローカルで生成する複数の別個のセンサ要素の調整された使用は、これらの課題に対する解決策として、前述の方法の利点の多くをもたらし得る。
【００１６】
複数の別個のセンサ要素（例えば、複数の近接感知回路）の使用は、システムの実装に関して、順応性の増加を提供し得る。近接に基づいてジェスチャを検出するように構成されたシステムは、典型的には、相互からある程度の距離における（可能性として、さらにデバイスの反対側における）アンテナの分散に依拠し得る。単一の集積回路として分散型アンテナを含むシステムを順応性のないように実装するのではなく、調整回路（例えば、マスタＩＣ）に結合され得る別個のセンサ回路（例えば、スレーブＩＣ）を使用して、システムを実装することは、有利であり得る。
【００１７】
各近接感知要素内における遮蔽ドライバの使用は、近傍金属表面の場歪み効果または他の場歪み要素を低減させることによって、電磁場の変動を発生および検出する際、近接感知回路の効率を増加させ得る。
【００１８】
同様に、近接感知回路による、デジタル測定値の使用（または、デジタル情報へのローカル変換）ならびに調整回路および／または解釈回路へのデジタル信号のルーティングは、アナログ測定値の使用およびアナログ信号のルーティングと比較して有利であり得る。デジタルデータの転送は、（例えば、そのような典型的なノイズを伴う環境において）アナログデータの転送のために要求される遮蔽のレベルを要求しない場合があり、それによって、より単純かつ潜在的に低コストの解決策を提供する。
【００１９】
したがって、本開示の実施形態に従って実装されるシステムは、種々の電子デバイスおよびコンピューティングデバイスにおける実装のために好適であるように、十分に順応性かつ安価である、ユーザの近接ジェスチャを感知および解釈するための効果的なシステムを呈し得る。
【００２０】
本発明のさらなる理解は、以下の詳細な説明が、以下の図面と併せて検討されることによって得られ得る。
【００２１】
本発明は、種々の修正および代替形態を許容可能であり、その特定の実施形態は、一例として、図面に示され、本明細書に詳細に説明される。しかしながら、図面および本明細書の詳細な説明は、本発明を開示される特定の形態に限定することを意図せず、対照的に、その意図は、添付の特許請求の範囲によって定義される本発明の精神および範囲内にある、全修正、均等物、および代替を網羅することであることを理解されたい。
【図面の簡単な説明】
【００２２】
【図１Ａ】図１Ａ〜図１Ｃは、一組の実施形態による、例示的近接感知システムを図示する。
【図１Ｂ】図１Ａ〜図１Ｃは、一組の実施形態による、例示的近接感知システムを図示する。
【図１Ｃ】図１Ａ〜図１Ｃは、一組の実施形態による、例示的近接感知システムを図示する。
【図２】図２Ａ〜図２Ｂは、一組の実施形態による、遮蔽ドライバを有しない送信器−受信器システムおよび遮蔽ドライバを有する送信器−受信器システムを図示する。
【図３】図３は、一組の実施形態による、近接感知データを収集する方法を図示する、フローチャートである。
【図４】図４は、一組の実施形態による、近接感知回路から調整回路へのデータ転送を図示する、タイミング図である。
【図５】図５は、一組の実施形態による、２つの近接感知回路を含む近接感知システムを図示する、ブロック図である。
【図６】図６は、一組の実施形態による、４つの近接感知回路を含む近接感知システムを図示する、ブロック図である。
【図７】図７〜図８は、一組の実施形態による、スレーブＩＣおよびマスタＩＣのための可能性として考えられるピン構成を図示する。
【図８】図７〜図８は、一組の実施形態による、スレーブＩＣおよびマスタＩＣのための可能性として考えられるピン構成を図示する。
【図９】図９〜図１０は、それぞれ、一組の実施形態による、近接感知回路のＰＣＢおよびフレックス回路実装の上部側および底部側を図示する。
【図１０】図９〜図１０は、それぞれ、一組の実施形態による、近接感知回路のＰＣＢおよびフレックス回路実装の上部側および底部側を図示する。
【図１１】図１１Ａ〜図１１Ｂは、一組の実施形態による、ベゼル上の近接感知回路の可能性として考えられる配列を図示する。
【発明を実施するための形態】
【００２３】
（発明の実施形態の詳細な説明）
以下は、本願において使用される用語の用語解説である。
【００２４】
メモリ媒体−種々のタイプのメモリデバイスまたは記憶デバイスのいずれか。用語「メモリ媒体」は、インストール用媒体（例えば、ＣＤ−ＲＯＭ、フロッピー（登録商標）ディスク、またはテープデバイス）；コンピュータシステムメモリまたはランダムアクセスメモリ（例えば、ＤＲＡＭ、ＤＤＲ  ＲＡＭ、ＳＲＡＭ、ＥＤＯ  ＲＡＭ、Ｒａｍｂｕｓ  ＲＡＭ等）；あるいは不揮発性メモリ（例えば、磁気媒体（例えば、ハードドライブまたは光学記憶））を含むことが意図される。メモリ媒体は、同様に、他のタイプのメモリまたはそれらの組み合わせを含んでもよい。加えて、メモリ媒体は、プログラムが実行される第１のコンピュータ内に位置してもよく、またはインターネット等のネットワークを経由して第１のコンピュータに接続する第２の異なるコンピュータ内に位置してもよい。後者の事例では、第２のコンピュータは、実行のために、プログラム命令を第１のコンピュータに提供してもよい。用語「メモリ媒体」は、異なる場所、例えば、ネットワークを経由して接続される異なるコンピュータ内に存在し得る２つ以上のメモリ媒体を含んでもよい。
【００２５】
コンピュータシステム−パーソナルコンピュータシステム（ＰＣ）、メインフレームコンピュータシステム、ワークステーション、ネットワーク機器、インターネット機器、パーソナルデジタルアシスタント（ＰＤＡ）、テレビシステム、グリッドコンピューティングシステム、あるいは他のデバイスまたはデバイスの組み合わせを含む、種々のタイプのコンピューティングまたは処理システムのいずれか。一般に、用語「コンピュータシステム」は、命令をメモリ媒体から実行する少なくとも１つのプロセッサを有する、任意のデバイス（または、デバイスの組み合わせ）を包含するように広く定義され得る。
【００２６】
本開示の実施形態は、近接ジェスチャを検出および解釈するためのシステムおよび方法に関する。ジェスチャ動作は、消費者製品またはコンピューティングデバイスと相互作用するように意図されたユーザの物理的動作に対する一般的用語である。容量性タッチ感知を使用したジェスチャ動作のよく知られた実施例は、スマートフォンおよびタブレットコンピュータ等の製品のタッチスクリーン上のイメージを操作するための「はさむ」動作または回転動作である。
【００２７】
近接ジェスチャ動作は、センサデバイスに物理的に接触しない、ユーザの物理的動作に対するより具体的な用語である。言い換えると、近接ジェスチャは、ユーザ（または、ユーザ制御された器具）が、感知要素に物理的にタッチすることを必要としない、ユーザ（または、スタイラス等のユーザ制御された器具）の近接に基づいて、感知または検出されるジェスチャである。例えば、ジェスチャ動作に対する一般的非接触用途の１つは、ゲーム相互作用のためのユーザ動作のビデオコンソール認識である。
【００２８】
近接ジェスチャ動作の使用は、特定の用途に対して状況依存的であり得る。例えば、左右ジェスチャは、対応する用途では、「次の写真」、「ページをめくる」、または「音量を上げる」として解釈され、異なる用途では、全く意味を成さないことがあり得る。いくつかの状況では、近接ジェスチャ動作によるユーザ相互作用システムは、安全性または実用性に基づいて、特に、望ましくあり得る。例えば、運転しながら、ボタンの位置を特定して押下し、ＧＰＳ表示をパンまたズームすることは、運転者の注意を引き過ぎ、安全でなくなり得るが、これらの機能を行なうためのジェスチャの使用は、そうではない場合がある。多くの実施形態では、近接感知システムの所望の検出範囲は、ほとんどの用途に対して、４”〜１２”の範囲であり得る。しかしながら、種々の（例えば、特殊）システムは、代替（例えば、それより大きい、またはそれより小さい）有効範囲を有してもよい。
【００２９】
本開示の実施形態は、近接ジェスチャ動作を実装するための単純、かつ、効率的、それ故に、潜在的に、低コストであるシステムおよび方法に関する。特に、全体としてのシステムの単純性、効率性、およびコストは、個々の構成要素のものを軽視することなく、重要視され得る。
【００３０】
図１Ａ〜図１Ｃ−例示的近接感知システム
図１Ａは、一組の実施形態による、例示的近接感知システム１００を図示する。近接感知システム１００は、種々の用途において使用するために好適であり得る。例えば、近接感知システム１００は、モバイルデバイス（例えば、携帯電話またはスマートフォン）、ポータブルメディアプレーヤ、電子リーダ（例えば、ＫｉｎｄｌｅまたはＮｏｏｋ）、タブレット、ラップトップ、またはデスクトップコンピュータシステム、情報キオスク、自動制御パネル、あるいはユーザの近接ジェスチャを検出および解釈する能力を実装することが望ましい種々の他のシステムのいずれかにおいて、使用するために好適であり得る。
【００３１】
示されるように、システム１００は、複数の感知回路１０２ａ−ｂ（本明細書では、「近接感知回路」とも称される）を含んでもよく、それぞれ、（例えば、それぞれのアンテナ１０４ａ−ｂを使用して）電磁信号を送信および受信することが可能であり得る。１つのセンサによって発生させられる電磁信号は、発生センサの近傍に電磁場を形成し得る。相互のセンサは、例えば、信号強度を測定することによって、電磁場を監視可能であってもよい。物体（ユーザの手１０６等）が、電磁場を妨害する場合、これは、例えば、電磁場を監視し得る任意のセンサによって測定される電磁場の信号強度に影響を及ぼす。
【００３２】
一組の実施形態では、感知回路１０２は、別のセンサによって発生させられる電磁場の変動を検出することによって、ユーザ入力を受信するように構成された１つ以上の容量感知入力部を含んでもよい。例えば、容量感知入力部は、励起に応じて、１つ以上のキャパシタを形成するように構成された伝導性材料（伝導性銅トレース等）を含んでもよい。妨害（ヒトの指または他の伝導性入力機構の近接等）によって生じる電場の強度の変動（例えば、静電容量の変動）が、測定され、かつ／または調整回路１０８等の別のシステム要素に送信されてもよい。他の電磁場強度／妨害感知技法もまた、可能であり、近接感知入力部の実装の詳細における多数の変形例も、可能であり得、本開示の範囲内とみなされるべきである。
【００３３】
いくつかの実施形態では、感知回路は、電磁信号を送信または受信することを交互または交替してもよい。例えば、図１では、感知回路１０２ａが、送信しており、感知回路１０２ｂが、受信しているが、後に、感知回路１０２ｂが、電磁信号を送信し得る（それによって、電磁場を発生させる）一方、感知回路１０２ａが、電磁信号を受信し得る（例えば、電磁場の監視／電磁信号の信号強度の測定）。
【００３４】
したがって、感知回路１０２は、電磁場の信号強度測定に基づいて、生データを生成してもよい。交互に送信／受信することによって（可能性として、高速様式において）、異なるセンサの組み合わせ生データは、感知回路１０２の近傍の物体の種々の特性（例えば、根本的な存在、形状、感知回路１０２に対する位置、（例えば、感知回路１０２の数および感度に応じて、１次元、２次元、または３次元における）動作の方向、動作の速度等のうちの１つ以上）を決定するための十分な情報を含み得る。
【００３５】
しかしながら、単一の感知回路の個々の生データからそのような特性を決定することは、困難または不可能であり得る。故に、感知回路１０２は、調整回路１０８に結合されてもよい。調整回路は、例えば、整合的かつ使用可能であるデータセットを生成するために、感知回路１０２の調整および制御を提供し得る。例えば、調整回路１０８は、そのそれぞれのアンテナ１０４を使用して送信および受信すべきときを個々の感知回路１０２に示してもよい。調整回路１０８はまた、（例えば、スケジュールに従って、かつ／または感知回路１０２が、そのアンテナ１０４を介して受信された電磁信号に基づくデータを記録しているときに基づいて）制御された様式において、結合要素（例えば、有線通信バス）を介して、個々の感知回路１０２のそれぞれから生データを受信してもよい。
【００３６】
調整回路１０８によって生成される、調整されたデータセットは、解釈のために、解釈回路１１０に提供されてもよい。前述のように、感知回路１０２からのデータは、感知回路１０２の近傍の物体の種々の特性を決定するために使用可能であり得る。解釈回路１１０は、調整されたデータセットを分析および解釈し、感知回路１０２の近傍において、ユーザが１つ以上の近接ジェスチャを行なったことを決定するように構成されてもよい。
【００３７】
図１Ｂは、近接感知システム１００の代替例証である。図１Ｂに図示されるように、感知回路１０２ａ−ｂは、アンテナ（「ＸＣＶＲ」）、遮蔽ドライバ、および調整回路１０８への生データ出力のためのピン接続部を有する「スレーブ」集積回路（ＩＣ）として実装されてもよい。他のピン接続部もまた、含まれてもよい。調整回路１０８は、示されるように、データ結合を介して、解釈回路１１０に結合され得る「マスタ」集積回路として実装されてもよい。次に、解釈回路１１０は、ホストマイクロコントローラ（ＭＣＵ）として実装されてもよく、これは、実装に応じて、近接ジェスチャ解釈専用であってもよく、または他の内蔵されたシステム制御機能を提供してもよい。
【００３８】
図１Ｃは、近接感知システム１００の代替実施形態を図示する。「センサ」１１２のそれぞれは、図１Ｃに示されるように、感知回路（例えば、スレーブＩＣ）およびアンテナの両方を含んでもよい（例えば、センサ１１２ａは、感知回路１０２ａおよびアンテナ１０４ａを含み得る）ことに留意されたい。示されるように、センサ１１２ａ−ｂに加え、いくつかの実施形態では、付加的センサ１１２ｃ−ｄも存在し得る。３つ以上のセンサを有するシステムは、いくつかの実施形態では、２次元または３次元ジェスチャの検出により好適であり得る。センサ１１２ａ−ｂは両方とも、他のセンサの全てに信号を送信する（これは、いくつかの実施形態によると、望ましくあり得る）ように示されるが、多くの実施形態では、例えば、比較的に単純な電磁場を提供するために、１度に１つのみのセンサが、送信し得ることに留意されたい。センサ１１２ｃ−ｄは、信号を送信するように示さていれないが、これらはまた、信号を送信および受信することが可能であってもよいことに留意されたい。したがって、いくつかの実施形態では、４つのセンサ１１２ａ−ｄのそれぞれは、（例えば、１度に１つ）順に送信し得る一方、他の３つのセンサ（例えば、１度に１つ以上）は、信号を受信する／電磁場を監視する。
【００３９】
図１Ｂにおけるものと同様に、図１Ｃの実施形態では、解釈回路１１０は、ホストＭＣＵとして実装されてもよい一方、調整回路１０８は、マスタＩＣとして実装されてもよい。
【００４０】
感知回路１０２およびアンテナ１０４、調整回路１０８、および解釈回路１１０が、図１Ａ〜図１Ｃでは、別個の要素として示される（かつ、図１Ｂ〜図１Ｃにおいて特定のタイプの回路として示される）が、これらの要素の機能の一部または全部は、所望される場合、単一の回路上で組み合わせられてもよい（かつ／または示されるものと異なるタイプの回路を使用する）ことに留意されたい。例えば、感知回路１０２、調整回路１０８、および解釈回路１１０は、所望される場合、ハードウェア（例えば、集積回路）として、ソフトウェア（例えば、プロセッサ、およびプロセッサによって実行可能なプログラム命令を含むメモリ媒体）として、またはハードウェアおよびソフトウェアの組み合わせとして実装されてもよい。
【００４１】
一組の実施形態では、近接感知回路、遮蔽ドライバ、調整回路、および解釈回路は全て、単一のフレキシブル基板上に構成されてもよい。他の実施形態では、異なる（例えば、剛な）基板あるいは（例えば、異なる回路部分に対して）複数の基板の組み合わせおよび／または異なるタイプの基板が、使用されてもよい。
【００４２】
加えて、いくつかの実施形態では、システムは、システムが典型的に実装され得る電子デバイス（例えば、消費者デバイス）のタイプの多くの小型サイズに従って、比較的に薄くかつ滑らかであってもよい。例えば、一組の実施形態では、電極要素およびフレックス回路基板に対する現実的な予測は、０．２５”幅×０．０２０”厚であり、長さは、製品固有である。任意の数の他のシステムサイズ（より大型または小型のシステムを含む）および形状も、代替として、用途に応じて、適切であり得る。
【００４３】
図２Ａ〜図２Ｂ−遮蔽ドライバを有する送信器−受信器システムおよび有しない送信器−受信器システム
消費者製品における電気機械的設計制約は、近接感知ジェスチャ動作システムの提供についての課題を加える。近接電極は、多くの場合、金属ケースまたはベゼル上に直接位置し得、これは、電磁場をショートさせ、ノイズおよび静電気放電（ＥＳＤ）を感知信号に注入する。これらの相反する要素から送信電極および受信電極を隔離するために、信号遮蔽ドライバが、採用されてもよい。信号遮蔽ドライバは、電極と原因金属表面との間の遮蔽層を駆動させる、送信された信号の複製を提供してもよく、したがって、送信信号は、金属に直接ショートされない。
【００４４】
図２Ａ〜図２Ｂは、遮蔽ドライバを有しない送信器−受信器システム２００および遮蔽ドライバを有する送信器−受信器システム２５０を図示する。図２Ａに示されるように、送信器２０２が、金属シャシー／ベゼル２０４または（消費者電子機器に一般的であり得るような）他の接地特徴に近接する場合、場の線は、近傍の接地に強く誘引される。その結果、受信器２０６近傍の電磁場は、比較的に弱くなり、これは、感知近接ジェスチャにおいて有用であるデータを生成する受信器２０６の能力に悪影響を及ぼし得る。
【００４５】
対照的に、図２Ｂでは、遮蔽ドライバ２０８は、送信された信号と同位相で駆動されるように示される。この場合、場の線（例えば、送信器２０２が電磁信号を送信する結果として生成された電磁場を表す）は、遮蔽ドライバが、金属シャシー／ベゼル２０４の方向における信号を効果的に遮蔽しているため、概して、近傍の接地から離れる方向に放出する。その結果、受信器２０６に向かって発射する場線の数増加によって示されるように、より強い電磁場が、受信器２０６に向かって放出し得る。これは、ひいては、ユーザ近接ジェスチャを検出および解釈する際のその有用性に関して、受信器２０６によって生成されるデータの品質を向上させ得る。一般的に、かつ／またはより具体的には、信号強度のより大きな変動が、遮蔽ドライバを有しない同様のユーザ近接ジェスチャからではなく、遮蔽ドライバを有するユーザ近接ジェスチャから生じ得るため、より強い信号強度は、データの品質向上をもたらし得る。
【００４６】
図３−近接感知データを収集する方法
図３は、近接感知データを収集する例示的方法を図示するフローチャートである。図３に示される方法は、他のシステムの中でもとりわけ、前述の図に示されるシステムのいずれかと併用され得る。種々の実施形態では、示される方法要素のうちのいくつかは、同時に行なわれ、示されるものと異なる順序で行なわれ、または省略されてもよい。付加的方法要素もまた、所望される場合、行なわれてもよい。示されるように、本方法は、以下のように動作してもよい。
【００４７】
３０２では、デジタルデータが、複数の近接感知回路のそれぞれによって収集され得る。各近接感知回路は、電磁信号を送信および受信するように構成されたアンテナを含んでもよい。アンテナは、いくつかの実施形態によると、電磁場を発生させ／電磁場の強度を容量的に測定するように構成された単純電極であってもよい。アンテナは、所望される場合、代替として、任意の他のタイプのアンテナであってもよい。
【００４８】
各近接感知回路はまた、遮蔽ドライバを含んでもよい。遮蔽ドライバは、１つ以上の方向においてアンテナによって送信される信号を遮蔽するように構成されてもよい。例えば、遮蔽ドライバは、アンテナと問題の方向（例えば、金属表面または他の電磁場歪み特徴が存在する方向）との間に位置決めされてもよく、遮蔽ドライバの方向（したがって、また、問題の方向）においてアンテナによって送信される信号を遮蔽するために、アンテナと同位相で駆動されてもよい。
【００４９】
デジタルデータは、アンテナを介して別の近接感知回路から受信された電磁信号に基づいて、収集されてもよい。いくつかの実施形態では、複数の近接感知回路は、任意の所与の時間において、複数の近接感知回路のうちの１つのみが送信している一方、１つの（または、それより多い）他の近接感知回路が、送信された信号に基づいて、デジタルデータを受信および収集するように、調整された様式において、電磁信号を送信および受信するように構成されてもよい。例えば、第１の時間において、第１の近接感知回路は、第１の電磁信号を送信し得る一方、第２の近接感知回路は、第１の電磁信号を受信し得る。次いで、第２の時間において、第２の近接感知回路は、第２の電磁信号を送信し得る一方、第１の近接感知回路は、第２の電磁信号を受信し得る。第１の近接感知回路および第２の近接感知回路は、いくつかの実施形態によると、反復様式において、送信−受信−送信等を交互してもよい。
【００５０】
いくつかの実施形態では、受信された電磁信号は、１つ以上のユーザ近接ジェスチャによって変更されてもよい。例えば、ユーザが、近接感知回路に近接してジェスチャを行なう場合、ジェスチャは、近接感知回路のうちの１つによって発生させられた電磁場を変更または妨害し得る。その時間にデータを収集している近接感知回路において受信された信号強度は、故に、影響を受け得る。
【００５１】
前述のように、多くの実施形態では、本方法は、典型的には、潜在的に非常に敏感な技術でありうるものに不利な環境を提供し得る消費者電子デバイスによって行なわれてもよい。例えば、容量性タッチセンサに対する典型的な静電容量変化は、約１００ｆＦであるが、非接触近接センサは、５ｆＦの静電容量変化のみ認め得る。伝導および放射ノイズスペクトルは、ＷｉＦｉ、ＧＳＭ（登録商標）、およびスイッチング電源からの信号でいっぱいであり、これらの干渉信号は、多くの場合、その他のパーソナルデバイスの持ち運び可能な性質により、わずか数センチメートルの距離において、ユーザによって印加される。信号ルーティングおよびノイズフィルタリングが、情報処理によって扱われなければならない。遮蔽を伴わない場合、アナログ信号を通信することは、実行不可能となり得る一方、通信線の遮蔽は、望ましくない費用を呈し得る。本理由から、信号データが、近接感知回路において、デジタル形態で収集され、またはデジタル形態に変換されることが望ましくあり得る。
【００５２】
当業者によって認識されるように、異なるジェスチャ（異なる場所において行なわれる類似ジェスチャを含む）は、電磁場に異なる影響を及ぼし得る。いくつかの実施形態では、近接感知要素は、複数の近接感知回路が、単一のユーザ近接ジェスチャの間、信号強度データを収集し得るように十分に高速でデータ収集を交互させてもよい（および／または複数の近接感知要素は、例えば、３つ以上の近接感知要素を有するシステムにおいて、同時に、データを収集してもよい）。経時的および異なる場所（例えば、近接感知回路の異なる場所）における信号強度の差異は、近接感知回路によって収集されるデジタルデータ内に収集されてもよい。
【００５３】
３０４では、デジタルデータは、調整回路によって受信されてもよい。デジタルデータは、結合要素を介して、複数の近接感知回路のそれぞれから受信されてもよい。一組の実施形態では、各近接感知回路は、単一ワイヤ通信バスによって、調整回路に結合されてもよい。他のタイプの結合要素もまた、可能である。
【００５４】
一組の実施形態では、結合は、一方向性データ結合であってもよい。言い換えると、結合は、データが、一方向に、例えば、近接感知回路から調整回路に送信され得るように構成されてもよい。これは、コスト節約および／または空間節約特徴として望ましくあり得（例えば、いくつかの実施形態では、単一ワイヤインターフェースが使用されてもよい）、かつ、いくつかの実施形態では、デジタルオーバヘッドを低減させ得る。一組の実施形態によると、（電源がオンであるとき）１００ｋｂｐｓシリアルデータストリームを送信可能な一方向性データバスが、使用されてもよい。他の（例えば、より高いまたは低い）データレートが、異なる桁数のデータレートを含め、代替として、所望される場合、使用されてもよい。
【００５５】
データ結合の一方向性性質は、調整回路の一部上の制御の全要素を除外しなくてもよいことに留意されたい。例えば、いくつかの実施形態によると、調整回路制御式電力管理を実装する通信バスが、使用されてもよい。言い換えると、通信バスは、スレーブからホストへのみのデータの通信のために構成されてもよい一方、ホストは、通信バスが電源を入れられるか、切られるかを制御するように構成されてもよい。電力管理能力は、特に、本方法を実装するシステムが、多くの消費者電子デバイスに当然一般的であるバッテリ給電である実施形態において、重要であり得る。調整回路および／または解釈回路は、センサのデューティサイクルを効率的に管理し、したがって、無駄なエネルギーがないように構成されてもよい。
【００５６】
一方向性データ結合は、いくつかの実施形態では、前述の理由から望ましくあり得るが、他の実施形態では、（双方向通信のために構成される結合要素／通信バスを使用する）双方向通信が、望ましくあり得る。例えば、いくつかの実施形態では、双方向通信が望ましくあり得、それによって、調整回路が、例えば、近接感知回路を再較正するための構成情報、および単にデータ接続の電源をオン／オフにするより高いレベルのセンサ調整を提供し得る。
【００５７】
３０６では、調整されたデジタルデータは、調整回路によって生成されてもよい。調整されたデジタルデータは、複数の近接感知回路のそれぞれからのデジタルデータを含んでもよい。調整されたデジタルデータは、ユーザが、特に、比較的にノイズを伴う環境において、１つ以上のユーザ近接ジェスチャを行なったことを決定する際に使用するために構成された同期されたリアルタイムセンサデータを含んでもよい。
【００５８】
調整回路は、センサ動作を多重化するというタスクが課され得る。言い換えると、調整回路は、どの近接感知回路が、任意の所与の時間において、データを送信し、どの近接感知回路（単数または複数）が、データを収集するかを制御してもよい。いくつかの実施形態では、調整回路は、近接感知要素によって行なわれるタスクが、規則的反復間隔において行なわれるように、規則的スケジュールに従って、近接感知回路を調整させてもよい。調整回路は、近接感知回路への電力の制御（例えば、上記に説明された一方向性データバスを通して）および／または構成メッセージ（例えば、代替として、上記に説明された双方向データバスを通して）を介して、近接感知回路を制御するように構成されてもよい。調整回路はまた、ホスト（例えば、解釈回路）によって提供されるポリシーに基づいて、センサ電力管理を行なってもよい。いくつかの実施形態では、近接感知回路は、手動制御、例えば、ピンストラッピングによって、部分的または全体的に構成されてもよい。
【００５９】
調整回路は、データをセンサから収集し、同期された一組のデータを解釈回路（例えば、ホスト）に送達してもよい。一組の実施形態によると、調整回路は、１００Ｈｚの更新レートにおいて、同期されたデータを解釈回路に通信してもよい。任意の他の更新レートが、代替として、所望される場合、使用されてもよい。Ｉ２Ｃ等の汎用通信バスまたは種々の他の通信バスのいずれかが、データおよび構成のために、レジスタベースのインターフェースを提供するために使用されてもよい。
【００６０】
３０８では、調整されたデジタルデータが、解釈されてもよい。調整されたデジタルデータは、前述のように、いくつかの実施形態に従ったホストコントローラであり得る解釈回路によって解釈されてもよい。解釈回路は、例えば、調整回路の更新レートに従って、定期的データ通信を扱うように構成されてもよい。一組の実施形態によると、データ転送は、例えば、プロトコルオーバーヘッドおよび所望される場合に構成され得るシングル対ブロックモード転送に応じて、約１０〜４０Ｋｂｐｓで行なわれてもよい。例えば、一組の実施形態では、約５０〜１００ビットのセンサ情報が、１００Ｈｚ更新レートで受信されてもよい。これは、いくつかの実施形態では、５０〜１００ｍｓの期間で決定（例えば、ジェスチャ解釈）が行なわれることを可能にし得る。他の決定時間フレームもまた、可能である。異なる量のセンサ情報を含む、他のデータ転送レートも、代替として、所望される場合、使用されてもよい。いくつかの実施形態では、解釈回路はまた、記憶のための専用ＲＡＭを含んでもよい。例えば、一組の実施形態では、解釈回路は、任意の所与の時間において、（例えば、生ジェスチャデータに値する１〜２秒を表す）１００〜２００のデータセットを記憶するように構成され、利用されてもよい。種々の処理負荷およびプログラムメモリサイズのいずれかが、例えば、他の所望の実装詳細に応じて、所望される場合、使用されてもよい。
【００６１】
調整されたデジタルデータの解釈は、ユーザが１つ以上のユーザ近接ジェスチャを行なったことを決定することを含んでもよい。例えば、一組の実施形態によると、アルゴリズムが、調整されたデジタルデータに基づいて、ユーザ制御された物体によって行なわれるジェスチャを識別するために十分な精度を有する近接感知回路のうちの１つ以上に近接するユーザ制御された物体の方向、速度、サイズ、および／または場所のうちの１つ以上を決定するために使用されてもよい。ユーザ挙動は、紛らわしくあり得るが、広範囲のジェスチャ速度および信号強度が容認され得ると同時に、エラーはまた、最小限にされるべきである。
【００６２】
故に、解釈回路によって使用されるアルゴリズムはさらに、ジェスチャとして意図されない動作の誤解釈を回避するように構成されてもよい。例えば、例えば、虫のサイズおよび／または虫の動きの質から生じる調整されたデジタルデータの差異に基づいて、ユーザが行なったジェスチャとして、近接感知回路の近傍を飛んでいる虫を誤解釈することを回避するように、調整されたデジタルデータは、十分な情報を含み得、解釈アルゴリズムは、十分に高度であり得る。解釈アルゴリズム（および、解釈が基づく調整されたデジタルデータ）はまた、同様に、ユーザによって行なわれる意図されないジェスチャを含む、他の意図されないジェスチャの誤解釈を回避するように構成されてもよい。
【００６３】
いくつかの実施形態では、調整回路および解釈回路は、（例えば、前述のように、その間の通信のために、Ｉ２Ｃまたは他のバスを使用して）別個の回路として実装されてもよいが、他の実施形態では、調整回路および解釈回路は、単一の回路として実装されてもよいことに留意されたい。例えば、ジェスチャ分析およびリアルタイムセンサ制御のために組み合わせられたコントローラは、より低いコスト、通信バスの排除、ならびに開発中および生産の際の順応性を含む、多くの利点を有し得る。例えば、調整回路のためのＭＣＵの使用は、開発段階の際、非常に望ましい順応性を提供し得る。代替として、または加えて（例えば、後の開発段階において）、組み合わせ部品が、例えば、コストおよびエネルギー消費の削減ならびに効率増加のために、ステートマシンに付され得る（但し、潜在的に、順応性を犠牲にする）。
【００６４】
代替として、分析部分は、別のホストコントローラ（例えば、ノートブックキーボードコントローラまたはＵＳＢカードリーダコントローラ等の既存のＭＣＵ）に移動され得、したがって、ファームウェアは、システムの残りの部分に緊密に結合され、１つの場所のみで、開発および維持されることができる。この場合、リアルタイムセンサ制御（例えば、調整回路）のみが、ＩＣ内に残されてもよく、いくつかの実施形態では、レジスタ構成可能特定用途向け標準品（ＡＳＳＰ）として取り扱われ得る。
【００６５】
図４−タイミング図
図４は、一組の実施形態による、近接感知回路から調整回路へのデータ転送を図示するタイミング図４００である。示される実施形態では、データ転送は、ホスト制御式電力管理を用いて、一方向性通信バスを使用して行なわれてもよい。センサが、測定可能にされると（例えば、通信バスの電源をオンにすることによって）、内部ブロックが起動され、測定を行い、１００ｋｂｐｓシリアルデータストリームを出力し得る。これは、データラインを引き下げることによって（この時、センサの電源が切られ得る）、ホストがセンサを無効にするまで持続し得る。
【００６６】
示されるように、通信バスは、一組の実施形態では、内部１００ＫＨｚクロックに従って動作し得る。データ送信は、データ自体の周囲に最小のオーバーヘッド（例えば、数同期ビット、センサ番号およびタイプを識別するための数ビット、および停止ビット）を含み得る。
【００６７】
図４に示されるタイミング図４００によって図示される例示的システムが、近接感知回路と調整回路との間の通信のための可能性として考えられるシステムの１つを表すが、他のシステムもまた、可能であり、したがって、図４およびその説明は、本開示を全体として限定するものと見なされるべきではない。
【００６８】
図５−例示的システム略図
図５は、２つの近接感知回路を含む、１つの可能性として考えられるシステム５００を図示するブロック図である。図５の例示的システム５００では、近接感知回路はそれぞれ、８ピン集積回路（ＩＣ）であり得る。マスタＩＣ５０２は、調整回路および近接感知回路の両方として作用してもよい一方、スレーブＩＣ５０４は、近接感知回路としてのみ機能してもよい。スレーブＩＣ５０４は、データ結合、例えば、種々の実施形態による、本開示のいずれかに説明されるような一方向性または双方向性通信バスを介して、マスタＩＣ５０２に結合されてもよい。マスタＩＣ５０２は、データ結合を介して、スレーブＩＣ５０４データを受信し、アクティブデューティサイクルによって、スレーブＩＣ５０４の電力を管理してもよく、衝突を回避するために、センサ信号を順序付けてもよい。
【００６９】
マスタＩＣ５０２はまた、解釈回路として作用し得るホストマイクロコントローラ（ＭＣＵ）５０６に結合されてもよい。マスタＩＣ５０２およびホストＭＣＵ５０６は、双方向性データ結合（例えば、双方向通信バス）を使用して結合されてもよく、双方向性データ結合は、マスタＩＣ５０２が調整されたセンサデータをホストＭＣＵ５０６に通信することと、ホストＭＣＵ５０６が構成情報をマスタＩＣ５０２に通信することとの両方に使用され得る。示されるように、一組の実施形態では、マスタＩＣ５０２とホストＭＣＵ５０６との間のデータバスは、３つのピンを利用してもよい一方、マスタＩＣ５０２とスレーブＩＣ５０４との間のバスは、単一のピンを利用してもよい。マスタ５０２およびスレーブ５０４ＩＣはそれぞれ、アンテナ接続（例えば、近接感知要素）および遮蔽ドライバのために構成されたピンを含んでもよい。マスタ５０２およびスレーブ５０４ＩＣのそれぞれはまた、電力供給源ピン（例えば、Ｖｄｄおよび接地）を含んでもよい。スレーブＩＣ５０４はまた、手動ピンストラッピング（例えば、ＩＣパラメータ／構成設定を手動で構成する）のために、３つの構成ピンを含んでもよい。
【００７０】
示されるように、アンテナ接続は、左アンテナ５０８および右アンテナ５１０を含んでもよい。図５に示される２センサシステムは、１次元ジェスチャ検出（例えば、左右平面におけるジェスチャ）に好適であり得る。左右配向が、いくつかの用途に適切であり得るが、他の配向（例えば、上下、斜方向、または別の配向）も、他の用途に適切であり得、また、使用されてもよい。
【００７１】
図６−例示的システム略図
図６は、４つの近接感知回路を含む、１つの可能性として考えられるシステム６００を図示するブロック図である。示されるように、図６のシステム６００は、実質的に、図５のシステム５００のアーキテクチャに類似し得るが、明らかな例外として、システムは、２つの付加的スレーブＩＣ６０４ｂ−ｃを含み、マスタＩＣ６０２は、２つの付加的スレーブＩＣ６０４ｂ−ｃに結合するデータ結合のための２つの付加的ピンを含む。
【００７２】
したがって、図６の例示的システム６００では、マスタＩＣ６０２は、１０ピン集積回路であり得る一方、スレーブＩＣ６０４ａ−ｃはそれぞれ、８ピン集積回路であり得る。図５のシステムにおけるように、マスタＩＣ６０２は、調整回路および近接感知回路の両方として作用してもよい一方、スレーブＩＣ６０４ａ−ｃは、近接感知回路としてのみ、機能してもよい。スレーブＩＣ６０４ａ−ｃは、通信バス、例えば、種々の実施形態による、本開示のいずれかに説明されるような一方向性または双方向性通信バスを介して、マスタＩＣ６０２に結合されてもよい。マスタＩＣ６０２は、通信バスを介して、スレーブＩＣ６０４ａ−ｃデータを受信し、アクティブデューティサイクルを介して、スレーブＩＣ６０４ａ−ｃ電力を管理してもよく、衝突を回避するために、センサ信号を順序付けてもよい。
【００７３】
図５のシステム５００と同様に、マスタＩＣ６０２はまた、解釈回路として作用し得る、ホストマイクロコントローラ（ＭＣＵ）６０６に結合されてもよい。マスタＩＣ６０２およびホストＭＣＵ６０６は、双方向性データ結合（例えば、双方向通信バス）を使用して結合されてもよく、双方向性データ結合は、マスタＩＣ６０２が調整されたセンサデータをホストＭＣＵ６０６に通信することと、ホストＭＣＵ６０６が構成情報をマスタＩＣ６０２に通信することとの両方に使用され得る。示されるように、一組の実施形態では、マスタＩＣ６０２とホストＭＣＵ６０６との間のデータバスは、３つのピンを利用し得る一方、マスタＩＣ６０２とそれぞれのスレーブＩＣ６０４との間の各バスは、単一のピンを利用してもよい。マスタＩＣ６０２およびスレーブ６０４ａ−ｃＩＣはそれぞれ、アンテナ接続（例えば、近接感知要素）および遮蔽ドライバのために構成されたピンを含んでもよい。マスタＩＣ６０２およびスレーブ６０４ａ−ｃＩＣのそれぞれはまた、電力供給源ピン（例えば、Ｖｄｄおよび接地）を含んでもよい。スレーブＩＣ６０４ａ−ｃはまた、手動ピンストラッピング（例えば、ＩＣパラメータ／構成設定を手動で構成する）ために、３つの構成ピンを含んでもよい。
【００７４】
４つの近接感知回路を有する図６のシステム６００は、２次元または３次元で行なわれたジェスチャを検出および解釈するために適切であり得る。例えば、アンテナ６０８、６１０、６１２、６１４は、左右および上下の両方の向きに向けられてもよく、アンテナ６０８、６１０、６１２、６１４によって収集されたデータに基づいて、奥行次元における近接ジェスチャ動作器具の動作が、左右方向および上下方向における近接ジェスチャ動作器具の動作と同様に解釈され得るように十分に敏感であり得る。
【００７５】
図５〜図６に示される近接感知システムは、２つの可能な近接感知システムを表すが、当業者は、任意の数の他のシステム構成（異なる構成要素および／または異なる方法で実装された類似構成要素を含む）が、所望される場合使用されてもよく、図５〜図６に関して示され、説明される近接感知システムが、本開示を全体として限定するものと見なされるべきではないことを認識することに留意されたい。
【００７６】
図７〜図８−ＩＣ略図
図７〜図８は、図５および図６に図示されるもののようなスレーブＩＣおよびマスタＩＣのための可能性として考えられるピン構成を図示する。図７Ａは、単一スレーブＩＣを制御するように構成されたマスタＩＣ７００のための可能性として考えられるピン構成を図示する一方、図７Ｂは、３つのスレーブＩＣを制御するように構成されたマスタＩＣ７５０のための可能性として考えられるピン構成を図示する。
【００７７】
示されるように、マスタＩＣ７００およびマスタＩＣ７５０は両方とも、電力供給源ピンＶｄｄ（ピン１）およびＧＮＤ（ピン２）を含んでもよい。ピン３−５は、マスタＩＣ７００（または、７５０）と解釈回路（例えば、ホストＭＣＵ）との間で通信するために使用される、通信バス専用であってもよい。マスタＩＣ７００は、その唯一のスレーブＩＣと通信するための単一ピン（ピン６）を含んでもよい一方、マスタＩＣ７５０は、その３つのスレーブＩＣと通信するための３つのピン（ピン６−８）を含んでもよい。マスタＩＣ７００は、その最終の２つのピン（ピン７−８）として、遮蔽ドライバ接続および近接感知要素（例えば、アンテナ／電極）接続を含んでもよい。マスタＩＣ７５０はまた、その最終の２つのピン（ピン９−１０）として、遮蔽ドライバ接続および近接感知要素（例えば、アンテナ／電極）接続を含んでもよい。
【００７８】
図８は、図７Ａ〜図７Ｂに示されるマスタＩＣ７００またはマスタＩＣ７５０によって制御され得るようなスレーブＩＣ８００のための可能性として考えられるピン構成を図示する。示されるように、スレーブＩＣ８００は、電力供給源ピンＶｄｄ（ピン１）およびＧＮＤ（ピン２）を含んでもよい。スレーブＩＣ８００は、そのマスタＩＣと通信するための単一ピン（ピン３）を含んでもよい。ピン４−６は、異なるピン−ストラッピング構成オプション専用であってもよい。例えば、ピン４−６のピンストラッピングを介して（例えば、異なるハードコードされた組み合わせに）調節され得る、パラメータは、感度／利得、平均化／フィルタリング、デジタル特徴（例えば、負デルタカウント、ノイズ遮断、最大持続時間等）および再較正を含み得る。スレーブＩＣ８００はまた、その最終の２つのピン（ピン９−１０）として、遮蔽ドライバ接続および近接感知要素（例えば、アンテナ／電極）接続を含んでもよい。
【００７９】
図７〜図８に図示されるピン構成は、マスタＩＣおよびスレーブＩＣの一組の可能なピン構成を表すが、任意の数の他の構成も、所望される場合、使用されてもよく、図７−８に関して示され、説明された構成は、本開示を全体として限定するものと見なされるべきではないことに留意されたい。
【００８０】
図９〜図１０−例示的ＰＣＢおよびフレックス回路実装
図９Ａ〜図９Ｂは、一組の実施形態による、近接感知回路を実装する、プリント回路基板（ＰＣＢ）９００の上部側および底部側を図示する。図１０Ａ〜図１０Ｂは、一組の実施形態による、近接感知回路を実装するフレックス回路１０００の上部側および底部側を図示する。
【００８１】
示されるように、近接感知回路の実装は、ＰＣＢおよびフレックス回路実装の両方に類似であり得る（例えば、スレーブＩＣ、遮蔽ドライバ、アンテナ、モードピン、ならびに電力供給源および通信バス接続を含む）。主な差異は、ＰＣＢ実装では、ケーブルを使用して他のシステム要素（例えば、電力供給源および調整回路）に結合され得る３ピンコネクタを使用することにあり得る。対照的に、フレックス回路のフレキシブル基板は、電力供給源および通信バス接続が、恒久的結合を介して、他のシステム要素に直接続くことを可能にし得る。これは、いくつかの実施形態では、ＰＣＢ実装に示される３ピンコネクタ等のコネクタを排除するために、望ましくあり得る。
【００８２】
図９〜図１０に図示されるＰＣＢおよびフレックス回路実装は、近接感知回路の２つの可能な実装を表すが、任意の数の他の実装が、所望される場合、使用されてもよく、図９〜図１０に関して示され、説明された実装は、本開示を全体として限定するものと見なされるべきではないことに留意されたい。
【００８３】
図１１Ａ〜図１１Ｂ−ベゼル実装
図１１Ａ〜図１１Ｂは、例えば、近接感知システムが実装される電子デバイスの縁に沿った、ベゼル上の近接感知回路の可能な配列を図示する。
【００８４】
図１１Ａに示されるように、１つの可能性として考えられる配列は、ベゼル１１００の上縁／下縁／左縁／右縁のそれぞれの中心に置かれた近接感知回路を含む。示されるように、マスタモジュール１１０２（例えば、マスタＩＣを含む）は、下縁に沿って設置されてもよく、ホストＭＣＵ１１０４に結合されてもよい。マスタモジュール１１０２は、ベゼル１１００の上縁、左縁、および右縁のそれぞれの中心に位置し得るスレーブＩＣ１１０６ａ−ｃのそれぞれへの接続を含んでもよい。本配列は、センサ配置に望ましくあり得（例えば、ジェスチャ解釈アルゴリズムに応じて）、所望される場合、使用されてもよいが、本設計は、フレックス回路を使用して実装するのは困難であり得、したがって、図１１Ｂに示されるような代替配列が、いくつかの実施形態では、より望ましくあり得る。
【００８５】
図１１Ｂに示される配列では、近接感知回路は、ベゼル１１００の角のそれぞれに位置してもよい。マスタモジュール１１０２は、右下角に沿って設置されてもよく、ホストＭＣＵ１１０４に結合されてもよい。マスタモジュール１１０２は、ベゼル１１００の左上角、左下角、および右上角のそれぞれに位置し得るスレーブＩＣ１１０６ａ−ｃのそれぞれへの接続を含んでもよい。本配列は、「Ｌ」形状のパターンが、フレックス回路シート上において、比較的に容易に入れ子にされ得るため、いくつかの実施形態では、より望ましくあり得る。加えて、ケーブルアクセスは、多くの場合、ベゼルの角にあり得る。センサの角位置はまた、例えば、そのような実施形態では、上／下および右／左に対して冗長な情報を提供可能であり得るため、望ましくあり得る（再び、ジェスチャ解釈アルゴリズムに応じて）。
【００８６】
図１１Ａおよび１１Ｂは、長方形ベゼル上の２つの可能なセンサ配列を表すが、他のベゼル形状および（例えば、ベゼル上または他の場所における）センサ配列もまた、可能であり、用途に応じて、より望ましくあり得ることに留意されたい。故に、図１１Ａ〜図１１Ｂに関して示され、説明された実装は、本開示を全体として限定するものと見なされるべきではない。
【００８７】
前述の実施形態は、かなり詳細に説明されたが、前述の開示が完全に理解されると、多数の変形例および修正が、当業者には明白となる。以下の特許請求の範囲は、全てのそのような変形例および修正を包含するように解釈されることが意図される。
【図１Ａ】
2015503783.tif 000003
【図１Ｂ】
2015503783.tif 000004
【図１Ｃ】
2015503783.tif 000005
【図２】
2015503783.tif 000006
【図３】
2015503783.tif 000007
【図４】
2015503783.tif 000008
【図５】
2015503783.tif 000009
【図６】
2015503783.tif 000010
【図７】
2015503783.tif 000011
【図８】
2015503783.tif 000012
【図９】
2015503783.tif 000013
【図１０】
2015503783.tif 000014
【図１１】
2015503783.tif 000015
【国際調査報告】
2015503783.tif 000016
2015503783.tif 000017
2015503783.tif 000018